【手続補正書】
【提出日】平成26年2月19日(2014.2.19)
【手続補正１】
【補正対象書類名】明細書
【補正対象項目名】００１０
【補正方法】変更
【補正の内容】
【００１０】
【図１】本発明の販売機の１例の斜視図である。
【図２】図１の販売機に用いられ得る冷却機の斜視図である。
【図３】図１の販売機が支払装置を有する場合の態様の斜視図である。
【図４】図１の販売機が支払装置を有する場合の態様において、側面フレームドアを開けて支払装置を示した状態の斜視図である。
【図５】図１の販売機に用いられ得る販売装置の複数の製品棚の側面斜視図である。
【図６】１つの製品棚の斜視図である。
【図７】閉鎖された状態にある製品ゲートシステムの上面図である。
【図８】ブロックされた状態にある上記製品ゲートシステムの上面図である。
【図９】閉鎖された状態にある他の１つの態様の製品ゲートシステムの上面図である。
【図１０】ブロックされた状態にある上記他の１つの態様の製品ゲートシステムの上面図である。
【図１１】閉鎖された状態にある製品ゲートロッキングシステムの上面図である。
【図１２】１つの製品ゲートを開けた状態にある上記製品ゲートロッキングシステムの上面図である。
【図１３】本発明における複数の製品販売モジュールにおける、さらに他の１つの態様の製品ゲートシステムの斜視図である。
【図１４】図１３の製品販売モジュールの側面図である。
【図１５】閉鎖された状態にある図１３の製品販売モジュールの正面図である。
【図１６】１つの製品ゲートを開けた状態にある図１３の製品販売モジュールの正面図である。
【図１７】閉鎖された状態にある図１３の製品販売モジュールの製品ロッキングシステムの底面図である。
【図１８】閉鎖された状態から開放された状態に移行しつつある図１３の製品販売モジュールの製品ロッキングシステムの底面図である。
【図１９】開放された状態にある図１３の製品販売モジュールの製品ロッキングシステムの底面図である。
【図２０】開放された状態から閉鎖された状態に移行しつつある図１３の製品販売モジュールの製品ロッキングシステムの底面図である。
【図２１】複数の製品販売モジュールを内蔵した本発明における販売機の正面図である。
【手続補正２】
【補正対象書類名】明細書
【補正対象項目名】００１７
【補正方法】変更
【補正の内容】
【００１７】
販売機１００はまた、販売装置３００を含んでいてよい。販売装置３００は、冷却機１１０の販売コンパートメント３１０の内部に配置されてよい。販売装置３００と販売コンパートメント３１０とは、冷却／加熱コンパートメント１６０の内部に配置された冷却／加熱カセット１５０に接続されてよい。販売装置３００はいかなるサイズと形状を有してもよい。他の構成を用いてもよい。
【手続補正３】
【補正対象書類名】明細書
【補正対象項目名】００２１
【補正方法】変更
【補正の内容】
【００２１】
図７及び図８に示すように、製品ゲートシステム３６０はまた、複数の梃子（lever）（図では、第１梃子４００及び第２梃子４１０）を含んでいてよい。第１梃子４００は、ベース３９０に取り付けることができ、ベース３９０とともに旋回し、ベース３９０が回転するのに伴って第２梃子４１０を引き動かす。この動作により第２梃子４１０は、フラップ４２０を引く。フラップ４２０は、製品列３５０の中の最初の製品がベース３９０から一旦取り出されたら、次の製品１０をブロックするように働く。具体的には、梃子４００及び４１０は、製品ゲート３７０が一旦回転して開いたら、フラップ４２０を回転させて次の製品１０と接触させる。本願明細書において「梃子」及び「フラップ」という用語は、任意の種類の延びた部材を表し、任意のサイズ及び形状を有してよい。他の構成も、本発明において用いることができる。
【手続補正４】
【補正対象書類名】明細書
【補正対象項目名】００２８
【補正方法】変更
【補正の内容】
【００２８】
図１７〜２０に示すように、製品販売モジュール６１０はまた、製品ロッキングシステム７１０を含んでいてよい。製品ロッキングシステム７１０は、製品ゲート６７０のドア６８０及びベース６９０と協働するように、支持ベース７００の中に配置することができる。製品ロッキングシステム７１０は、ベース６９０の近傍に配置されるラッチ７２０を含んでいてよい。ラッチ７２０は、複数のカムアーム７３０を含んでいてよい。カムアーム７３０は、ベース６９０から延びる複数のカムトラック７４０と協働し、該カムトラック７４０に沿って動くことができる。ラッチ７２０は、ソレノイド７５０によって操作することができ、ラッチスプリング７６０を介して所望の位置にバイアスすることができる。同様に、ベース６９０も、ベーススプリング７７０を介して所望の位置にバイアスすることができる。他の部品及び他の構成も、本発明において用いることができる。
【手続補正５】
【補正対象書類名】明細書
【補正対象項目名】００２９
【補正方法】変更
【補正の内容】
【００２９】
製品ロッキングシステム７１０はまた、マイクロスイッチ７８０を含んでいてよい。マイクロスイッチ７８０は、ベース６９０の近傍に配置することができ、ベース６９０の位置及び回転を決定するように、カムトラック７４０に乗るスイッチアーム７９０を含むことができる。他の構成及び他の部品も、本発明において用いることができる。マイクロスイッチ７８０は、制御装置２７０に接続することができる。ダンパー７８５も、ベース６９０の近傍に配置することができる。
【手続補正６】
【補正対象書類名】明細書
【補正対象項目名】００３０
【補正方法】変更
【補正の内容】
【００３０】
図１３、図１５及び図１７は、製品販売モジュール６１０の１例の、使用時の、閉じてロックされた状態を示す。製品ゲート６７０のベース６９０及びドア６８０は、ロックされている。以下により詳しく説明されるように、クレジットの適当な金額を受領すると、制御装置２７０は、ラッチ７２０に隣接したソレノイド７５０を作動準備状態にする（arm）ことができる。マイクロスイッチ７８０が、ドア６８０が開くことによって引き起こされるベース６９０の小さな運動を一旦検知すると、ソレノイド７５０は、図１８に示すように、ラッチ７２０を解除してベース６９０を回転可能にする。制御装置２７０はまた、２つのソレノイド７５０が同時に開くことがないように制御する。図１９に示すように、ドア６８０がさらに開き、ベース６９０がさらに回転すると、カムトラック７４０及びラッチスプリング７６０を介してラッチ７２０が機械的に元の位置まで押し戻される。こうして製品１０は、図１６に示すように、製品用領域６６０から取り出すことができる。ドア６８０の湾曲が、傾斜した製品列６２０の次の製品１０への接近を防止する。
【手続補正７】
【補正対象書類名】明細書
【補正対象項目名】００３１
【補正方法】変更
【補正の内容】
【００３１】
図２０は、製品ゲート６７０のドア６８０が閉じてロックされた状態に戻っていくのを示す。ベース６９０及びドア６８０は、ベーススプリング７７０を介して元の位置に回転して戻ることができる。ドア６８０が再び開くことは、ラッチ７２０のカムアーム７３０と相互作用するカムトラック７４０の上に配置された複数のラチェット８００によって防止することができる。ドア６８０が傾斜した製品用領域６６０を一旦クリアしたら、次の製品１０は重力の作用により製品用領域６６０に移動することができる。
【手続補正８】
【補正対象書類名】特許請求の範囲
【補正対象項目名】全文
【補正方法】変更
【補正の内容】
【特許請求の範囲】
【請求項１】
複数の製品を販売するための製品販売モジュールであって、
複数の製品を収容することができる製品列、
バイアスベースを含み、製品列の近傍に位置する製品ゲートであって、該複数の製品への接近を防止する閉鎖状態から、該複数の製品のうち１つの製品への接近を許し且つ残りの製品への接近を防止する開放状態へと回転可能である製品ゲート、及び
製品ゲートに接続された製品ロッキングシステム
を包含し、
製品ロッキングシステムはラッチを含み、該ラッチは、該バイアスベースを解除可能に係合するものであって、製品ゲートの回転を制限する係合状態から、製品ゲートの回転を許す解除状態に移行することができるものである 
ことを特徴とする製品販売モジュール。
【請求項２】
製品列が、重力で複数の製品を製品ゲートへ供給するための傾斜した製品棚からなることを特徴とする、請求項１に記載の製品販売モジュール。
【請求項３】
製品ゲートが、バイアスベースから延びるドアを更に含み、該ドアは、製品ゲートが閉鎖状態にあるときには該複数の製品への接近を防止し、製品ゲートが開放状態にあるときには該複数の製品のうち該１つの製品への接近を許し且つ残りの製品への接近を防止するものであることを特徴とする、請求項１に記載の製品販売モジュール。
【請求項４】
ドアが凸形状のドアであることを特徴とする、請求項３に記載の製品販売モジュール。
【請求項５】
ドアが透明なドアであることを特徴とする、請求項３に記載の製品販売モジュール。
【請求項６】
製品ロッキングシステムが、ラッチに接続され且つラッチを係合状態から解除状態に移行させるように構成されているソレノイドを更に含むことを特徴とする、請求項１に記載の製品販売モジュール。
【請求項７】
製品ロッキングシステムが、バイアスベースに接続され且つ製品ゲートの回転を検知するように構成されているマイクロスイッチを更に含むことを特徴とする、請求項６に記載の製品販売モジュール。
【請求項８】
該ソレノイドと該マイクロスイッチとに接続された制御装置を更に包含し、該制御装置は、該マイクロスイッチが製品ゲートの回転を検知したときに該ソレノイドを活性化してラッチを係合状態から解除状態に移行させるように構成されていることを特徴とする、請求項７に記載の製品販売モジュール。
【請求項９】
ラッチが、バイアスベースを解除可能に係合する１つ又は２つ以上のカムアームを含むことを特徴とする、請求項１に記載の製品販売モジュール。
【請求項１０】
バイアスベースが、該１つ又は２つ以上のカムアームと協働する１つ又は２つ以上のカムトラックを含むことを特徴とする、請求項９に記載の製品販売モジュール。
【請求項１１】
該１つ又は２つ以上のカムトラックが、複数のラチェットを含むことを特徴とする、請求項１０に記載の製品販売モジュール。
【請求項１２】
ラッチがスプリングで係合状態にバイアスされていることを特徴とする、請求項１に記載の製品販売モジュール。
【請求項１３】
バイアスベースがスプリングで、製品ゲートを回転させて閉鎖状態にするようにバイアスされていることを特徴とする、請求項１に記載の製品販売モジュール。
【請求項１４】
該ドアは、製品ゲートが開放状態にあるときに、少なくとも部分的に、該複数の製品のうち該１つの製品と、残りの製品との間に位置することを特徴とする、請求項３に記載の製品販売モジュール。
【請求項１５】
複数の製品を販売するための方法であって、
複数の製品販売モジュールを提供し、ただし、該複数の製品販売モジュールのそれぞれは、 
複数の製品を収容することができる製品列、 
バイアスベースを含み、製品列の近傍に位置する製品ゲートであって、該複数の製品への接近を防止する閉鎖状態から、該複数の製品のうち１つの製品への接近を許し且つ残りの製品への接近を防止する開放状態へと回転可能である製品ゲート、及び 
製品ゲートに接続された製品ロッキングシステム 
を包含し、 
製品ロッキングシステムはラッチを含み、該ラッチは、該バイアスベースを解除可能に係合するものであって、製品ゲートの回転を制限する係合状態から、製品ゲートの回転を許す解除状態に移行することができるものである、 
該複数の製品販売モジュールのうち１つのモジュールの製品ゲートの動きを検知し、
該１つのモジュールのラッチを動かして解除状態にし、それにより、該１つのモジュールの製品ゲートを開放状態にまで回転できるようにし、そして 
残りの製品販売モジュールのラッチを係合状態に維持する、 
ことを包含することを特徴とする方法。